(57)【特許請求の範囲】
【請求項１】
映像を表示する表示装置を制御するとともに、前記表示装置または前記表示装置に接続されたチューナー装置もしくは録画装置に対する所定操作をユーザから受け付けて該所定操作についての操作情報を送信する携帯型の通信装置が着信を受けた場合に該着信を受けたことを通知する着信通知情報を受信する表示制御装置であって、
前記所定操作は、放送チャンネルの変更操作または放送番組の録画予約操作を含み、
前記所定操作をユーザから受け付けた通信装置または前記所定操作をユーザから受け付けた通信装置の所有者を識別する第１の識別情報が前記操作情報とともに前記通信装置により送信された場合に、該第１の識別情報を取得し、前記着信を受けた通信装置または前記着信を受けた通信装置の所有者を識別する第２の識別情報が前記着信通知情報とともに前記通信装置により送信された場合に、該第２の識別情報を取得し、前記第１の識別情報と前記第２の識別情報とが一致するか否かを判定する識別情報判定部と、
該識別情報判定部による判定結果に基づいて、前記通信装置が受けた着信についての情報の前記表示装置における表示を制御する表示制御部と、
を備えることを特徴とする表示制御装置。
【請求項２】
前記表示制御部は、前記識別情報判定部により前記第１の識別情報と前記第２の識別情報とが一致すると判定された場合に、前記通信装置が受けた着信についての情報を前記表示装置に表示するよう制御し、前記識別情報判定部により前記第１の識別情報と前記第２の識別情報とが一致しないと判定された場合に、前記通信装置が受けた着信についての情報を前記表示装置に表示しないよう制御することを特徴とする請求項１に記載の表示制御装置。
【請求項３】
前記表示制御部は、前記識別情報判定部により前記第１の識別情報と前記第２の識別情報とが一致すると判定された場合に、前記通信装置が受けた着信についての情報を前記表示装置に表示するよう制御し、前記識別情報判定部により前記第１の識別情報と前記第２の識別情報とが一致しないと判定された場合に、前記通信装置が受けた着信についての情報を、前記識別情報判定部により前記第１の識別情報と前記第２の識別情報とが一致すると判定された場合の表示態様とは異なる態様で表示するよう制御することを特徴とする請求項１に記載の表示制御装置。
【請求項４】
前記識別情報判定部は、前記録画予約操作に係る前記操作情報に基づいて録画された放送番組の映像が前記表示装置に表示されている場合に、前記第１の識別情報と前記第２の識別情報とが一致するか否かを判定することを特徴とする請求項１〜３のいずれか１項に記載の表示制御装置。
【請求項５】
前記識別情報判定部は、前記変更操作に係る前記操作情報に基づいて放送チャンネルが変更された後の映像が前記表示装置に表示されている場合に、前記第１の識別情報と前記第２の識別情報とが一致するか否かを判定することを特徴とする請求項１〜３のいずれか１項に記載の表示制御装置。
【請求項６】
請求項１〜５のいずれか１項に記載の表示制御装置を備えることを特徴とする表示装置。
【請求項７】
請求項４に記載の表示制御装置に対して、前記通信装置から受信した前記第１の識別情報を転送するとともに、前記録画予約操作に係る前記操作情報に基づいて前記放送番組の映像の録画を行い、録画された該映像のデータを前記表示制御装置に送信することを特徴とする録画装置。
【請求項８】
請求項５に記載の表示制御装置に対して、前記通信装置から受信した前記第１の識別情報を転送するとともに、前記変更操作に係る前記操作情報に基づいて前記放送チャンネルの変更を行い、該変更後の映像のデータを前記表示制御装置に送信することを特徴とするチューナー装置。
【請求項９】
請求項４に記載の表示制御装置、請求項４に記載の通信装置、および、請求項７に記載の録画装置を備えることを特徴とする表示システム。
【請求項１０】
請求項４に記載の表示制御装置、請求項４に記載の通信装置、および、請求項８に記載のチューナー装置を備えることを特徴とする表示システム。
【請求項１１】
請求項１〜５のいずれか１項に記載の表示制御装置に前記操作情報および前記着信通知情報を送信するための携帯型の通信装置であって、前記所定操作をユーザから受け付けた場合に、自装置または自装置の所有者を識別する識別情報を前記第１の識別情報として送信し、前記着信を受けた場合に、該自装置または自装置の所有者を識別する識別情報を前記第２の識別情報として送信する通信部を備えることを特徴とする通信装置。
【発明の詳細な説明】
【技術分野】
【０００１】
本発明は、表示制御装置、表示装置、録画装置、チューナー装置、表示システム、および、通信装置に関する。
【背景技術】
【０００２】
近年、スマートフォンなどの携帯端末に電子メールやＳＭＳ（Short Message Service）、電話の着信があった場合に、その着信についての情報を受信して、その情報を画面に表示する表示装置が開発されている。
【０００３】
例えば、特許文献１には、通信装置に電話の着信があったときに、表示装置の表示画面に着信表示を行い、表示装置の音量が大きくとも着信を見逃がさないようにした着信表示システムが開示されている。
【先行技術文献】
【特許文献】
【０００４】
【特許文献１】特開２００４−１５９０９９号公報
【発明の概要】
【発明が解決しようとする課題】
【０００５】
しかしながら、特許文献１の従来技術では、着信を受けた通信装置の所有者と別の者が表示装置で映像を視聴している場合にも、着信表示がなされてしまう。この着信表示は、その別の者にとって不要な表示であり、視聴の邪魔になるという問題がある。
【０００６】
本発明は、上記実情に鑑み、表示装置を使用する者が通信装置の所有者か否かに応じて着信についての情報の表示を適切に制御することができる表示制御装置、表示装置、録画装置、チューナー装置、表示システム、および、通信装置を提供することを目的とする。
【課題を解決するための手段】
【０００７】
上記課題を解決する為に、本発明の第１の技術手段は、映像を表示する表示装置を制御するとともに、前記表示装置または前記表示装置に接続されたチューナー装置もしくは録画装置に対する所定操作をユーザから受け付けて該所定操作についての操作情報を送信する携帯型の通信装置が着信を受けた場合に該着信を受けたことを通知する着信通知情報を受信する表示制御装置であって、前記所定操作は、放送チャンネルの変更操作または放送番組の録画予約操作を含み、前記所定操作をユーザから受け付けた通信装置または前記所定操作をユーザから受け付けた通信装置の所有者を識別する第１の識別情報が前記操作情報とともに前記通信装置により送信された場合に、該第１の識別情報を取得し、前記着信を受けた通信装置または前記着信を受けた通信装置の所有者を識別する第２の識別情報が前記着信通知情報とともに前記通信装置により送信された場合に、該第２の識別情報を取得し、前記第１の識別情報と前記第２の識別情報とが一致するか否かを判定する識別情報判定部と、該識別情報判定部による判定結果に基づいて、前記通信装置が受けた着信についての情報の前記表示装置における表示を制御する表示制御部と、を備えることを特徴とする。
【０００８】
本発明の第２の技術手段は、第１の技術手段において、前記表示制御部は、前記識別情報判定部により前記第１の識別情報と前記第２の識別情報とが一致すると判定された場合に、前記通信装置が受けた着信についての情報を前記表示装置に表示するよう制御し、前記識別情報判定部により前記第１の識別情報と前記第２の識別情報とが一致しないと判定された場合に、前記通信装置が受けた着信についての情報を前記表示装置に表示しないよう制御することを特徴とする。
【０００９】
本発明の第３の技術手段は、第１の技術手段において、前記表示制御部は、前記識別情報判定部により前記第１の識別情報と前記第２の識別情報とが一致すると判定された場合に、前記通信装置が受けた着信についての情報を前記表示装置に表示するよう制御し、前記識別情報判定部により前記第１の識別情報と前記第２の識別情報とが一致しないと判定された場合に、前記通信装置が受けた着信についての情報を、前記識別情報判定部により前記第１の識別情報と前記第２の識別情報とが一致すると判定された場合の表示態様とは異なる態様で表示するよう制御することを特徴とする。
【００１０】
本発明の第４の技術手段は、第１〜第３のいずれかの技術手段において、前記識別情報判定部は、前記録画予約操作に係る前記操作情報に基づいて録画された放送番組の映像が前記表示装置に表示されている場合に、前記第１の識別情報と前記第２の識別情報とが一致するか否かを判定することを特徴とする。
【００１１】
本発明の第５の技術手段は、第１〜第３のいずれかの技術手段において、前記識別情報判定部は、前記変更操作に係る前記操作情報に基づいて放送チャンネルが変更された後の映像が前記表示装置に表示されている場合に、前記第１の識別情報と前記第２の識別情報とが一致するか否かを判定することを特徴とする。
【００１２】
本発明の第６の技術手段は、第１〜第５のいずれかの技術手段における表示制御装置を備えることを特徴とする表示装置である。
【００１３】
本発明の第７の技術手段は、第４の技術手段における表示制御装置に対して、前記通信装置から受信した前記第１の識別情報を転送するとともに、前記録画予約操作に係る前記操作情報に基づいて前記放送番組の映像の録画を行い、録画された該映像のデータを前記表示制御装置に送信することを特徴とする録画装置である。
【００１４】
本発明の第８の技術手段は、第５の技術手段における表示制御装置に対して、前記通信装置から受信した前記第１の識別情報を転送するとともに、前記変更操作に係る前記操作情報に基づいて前記放送チャンネルの変更を行い、該変更後の映像のデータを前記表示制御装置に送信することを特徴とするチューナー装置である。
【００１５】
本発明の第９の技術手段は、第４の技術手段における表示制御装置、第４の技術手段における通信装置、および、第７の技術手段における録画装置を備えることを特徴とする表示システムである。
【００１６】
本発明の第１０の技術手段は、第４の技術手段における表示制御装置、第４の技術手段における通信装置、および、第８の技術手段における録画装置を備えることを特徴とする表示システムである。
【００１７】
本発明の第１１の技術手段は、第１〜第５のいずれかの技術手段における表示制御装置に前記操作情報および前記着信通知情報を送信するための携帯型の通信装置であって、前記所定操作をユーザから受け付けた場合に、自装置または自装置の所有者を識別する識別情報を前記第１の識別情報として送信し、前記着信を受けた場合に、該自装置または自装置の所有者を識別する識別情報を前記第２の識別情報として送信する通信部を備えることを特徴とする。
【発明の効果】
【００１８】
本発明によれば、操作をユーザから受け付けた通信装置または操作をユーザから受け付けた通信装置の所有者を識別する第１の識別情報が操作情報とともに通信装置により送信された場合に、その第１の識別情報を取得し、着信を受けた通信装置または着信を受けた通信装置の所有者を識別する第２の識別情報が着信通知情報とともに通信装置により送信された場合に、その第２の識別情報を取得し、第１の識別情報と第２の識別情報とが一致するか否かを判定し、その判定結果に基づいて、通信装置が受けた着信についての情報の表示装置における表示を制御することとしたので、表示装置を使用する者が通信装置の所有者か否かに応じて着信についての情報の表示を適切に制御することができる。
【図面の簡単な説明】
【００１９】
【図１】本発明の概念について説明する図である。
【図２】本発明の実施形態１に係る表示システムの一例を示す図である。
【図３】録画情報の一例を示す図である。
【図４】本発明の実施形態１にかかる着信情報表示制御処理の処理手順の一例を示す図である。
【図５】図４のステップＳ１０６に示した表示装置使用判定処理の処理手順の一例を示す図である。
【図６】本発明の実施形態２に係る表示システムの一例を示す図である。
【図７】録画情報の一例を示す図である。
【図８】録画予約識別情報の一例を示す図である。
【図９】本発明の実施形態２にかかる着信情報表示制御処理の処理手順の一例を示す図である。
【図１０】図９のステップＳ３０６に示した表示装置使用判定処理の処理手順の一例を示す図である。
【図１１】本発明の実施形態３に係る表示システムの一例を示す図である。
【図１２】チャンネル情報の一例を示す図である。
【図１３】本発明の実施形態３にかかる着信情報表示制御処理の処理手順の一例を示す図である。
【図１４】図１３のステップＳ５０６に示した表示装置使用判定処理の処理手順の一例を示す図である。
【図１５】本発明の実施形態４に係る表示システムの一例を示す図である。
【図１６】本発明の実施形態４にかかる着信情報表示制御処理の処理手順の一例を示す図である。
【図１７】図１６のステップＳ７０６に示した表示装置使用判定処理の処理手順の一例を示す図である。
【発明を実施するための形態】
【００２０】
以下に、本発明の実施形態について図面を参照して詳細に説明する。
【００２１】
（実施形態１）
図１は、本発明の概念について説明する図である。通信装置１０は、通話機能、電子メール送受信機能、または、ＳＭＳ（Short Message Service）接続機能を有し、通話、電子メール、または、ＳＭＳの着信を受けるスマートフォンや携帯電話などの装置である。表示装置２０は、テレビ番組などの映像を表示する装置である。通信装置１０は、表示装置２０のリモートコントロール装置として機能し、表示装置２０を遠隔操作することができる。
【００２２】
図１（Ａ）に示すように、通信装置１０は、表示装置２０の操作をユーザから受け付けた場合に、表示装置２０を操作するための操作情報を送信する。その際、通信装置１０は、操作情報とともに、通信装置１０、または、通信装置１０の所有者を識別する識別情報を表示装置２０に送信する。識別情報は、例えば、機種名、製造番号、ＩＰアドレス、ＭＡＣアドレス、ユーザアカウント、メールアドレス、電話番号である。なお、ＩＰアドレスやＭＡＣアドレスなどは通信プロトコルに含まれるため、通信するだけで受信側の装置はＩＰアドレスやＭＡＣアドレスなどを知ることもできる。
【００２３】
また、図１（Ｂ）に示すように、通信装置１０は、着信を受けた場合に、着信を受けたことを通知する着信通知情報を表示装置２０に送信する。その際、通信装置１０は、着信通知情報とともに、通信装置１０、または、通信装置１０の所有者を識別する識別情報を表示装置２０に送信する。着信通知情報は、例えば、通話であれば発信番号、電子メールやＳＭＳであれば、着信した件数、差出人、宛先、タイトル、本文の情報を含む。
【００２４】
そして、表示装置２０は、操作情報とともに送信された識別情報と、着信通知情報とともに送信された識別情報とが一致するか否かを判定する。それらの識別情報が一致した場合、着信を受けた通信装置１０の所有者により表示装置２０が使用されていると推定されるため、表示装置２０は、通信装置１０が受けた着信についての情報を表示する。
【００２５】
それらの識別情報が一致しなかった場合、着信を受けた通信装置１０の所有者により表示装置２０が使用されていないと推定されるため、表示装置２０は、通信装置１０が受けた着信についての情報を表示しない。
【００２６】
あるいは、表示装置２０は、操作情報とともに送信された識別情報と、着信通知情報とともに送信された識別情報とが一致しなかった場合、通信装置１０が受けた着信についての情報を、それらの識別情報が一致した場合の表示態様とは異なる態様で表示することとしてもよい。例えば、表示装置２０は、通信装置１０が受けた着信についての情報を、それらの識別情報が一致した場合よりも小さい文字や目立たない色の文字で表示することとしてもよい。
【００２７】
これにより、着信を受けた通信装置１０の所有者により表示装置２０が使用されていないと推定される場合に、着信についての情報の表示によって他の者の映像の視聴が妨げられないようにすることができる。
【００２８】
図２は、本発明の実施形態１に係る表示システムの一例を示す図である。この表示システムは、通信装置１０と表示装置２０を含む。通信装置１０は、表示部１１、操作部１２、通信部１３、記憶部１４、制御部１５を備える。
【００２９】
表示部１１は、種々の情報を表示する液晶ディスプレイなどの表示デバイスである。操作部１２は、入力ボタンやタッチパッドなどの入力デバイスである。通信部１３は、通信網４０を介して、あるいは、直接、他の装置と無線通信、あるいは、有線通信を行う処理部である。
【００３０】
記憶部１４は、メモリ（ＲＯＭやＲＡＭ）などの記憶デバイスである。記憶部１４は、識別情報１４ａを記憶する。識別情報１４ａは、通信装置１０、または、通信装置１０の所有者を識別する識別情報が登録されたデータである。
【００３１】
制御部１５は、通信装置１０の各機能を制御するＣＰＵ（Ｃｅｎｔｒａｌ  Ｐｒｏｃｅｓｓｉｎｇ  Ｕｎｉｔ）などの処理部である。制御部１５は、情報送信処理部１５ａ、録画予約処理部１５ｂを備える。
【００３２】
情報送信処理部１５ａは、通信部１３を介して、表示装置２０に操作情報や着信通知情報、識別情報を送信する処理部である。以下では、操作情報が、放送番組の録画予約情報である場合について説明する。操作情報として録画予約情報を用いることにより、識別情報を効率的に送信することができる。
【００３３】
録画予約情報は、ユーザにより設定された情報であり、例えば、録画開始日時、録画時間、地上波デジタル放送、ＢＳ放送、ＣＳ放送などの放送種別、録画チャンネル、録画画質などの情報を含む。
【００３４】
録画予約処理部１５ｂは、表示部１１に番組表を表示させ、ユーザから操作部１２を介して録画予約の設定を受け付け、受け付けた設定の情報を録画予約情報として表示装置２０に情報送信処理部１５ａを介して送信する処理部である。
【００３５】
表示装置２０は、表示部２１、操作部２２、通信部２３、チューナー部２４、記憶部２５、制御部２６を備える。チューナー部２４、記憶部２５、制御部２６の一部は、映像を録画する録画装置３０を構成する。なお、表示装置２０の表示部２１は映像を外部装置に出力する外部出力端子を介して接続された別の装置であってもよい。
【００３６】
表示部２１は、液晶ディスプレイなどの表示デバイスである。操作部２２は、ユーザから表示装置２０の操作を受け付ける入力ボタンなどの入力デバイスである。あるいは、操作部２２は、図示しない赤外線リモートコントロール装置から表示装置２０の操作を受け付ける処理部であってもよい。
【００３７】
通信部２３は、通信装置１０と無線通信、あるいは、有線通信を行う処理部である。チューナー部２４は、放送波の入力を受け付けて、映像を表示する放送番組を選局する処理部である。
【００３８】
記憶部２５は、メモリやハードディスク装置などの記憶デバイスである。記憶部２５は、録画情報２５ａを記憶する。図３は、録画情報２５ａの一例を示す図である。図３に示すように、録画情報２５ａは、通信装置１０により送信された録画予約情報、その録画予約情報とともに送信された識別情報、および、その録画予約情報に従って録画された映像のデータである録画データが対応付けて登録される。
【００３９】
制御部２６は、表示装置２０の各機能を制御するＣＰＵなどの処理部である。制御部２６は、情報管理部２６ａ、録画処理部２６ｂ、識別情報判定部２６ｃ、表示制御部２６ｄを備える。
【００４０】
情報管理部２６ａは、通信部２３が通信装置１０から受信した録画予約情報および識別情報を録画情報２５ａに登録する処理部である。録画処理部２６ｂは、録画予約情報に基づいて放送番組の映像を録画し、録画した映像のデータを録画情報２５ａに登録する処理部である。
【００４１】
識別情報判定部２６ｃは、通信装置１０に着信があったことを通知する着信通知情報を通信部２３が通信装置１０から受信した場合に、着信通知情報とともに受信した識別情報が、録画予約情報とともに通信装置１０から受信した識別情報と一致するか否かを判定する処理部である。
【００４２】
具体的には、識別情報判定部２６ｃは、通信装置１０に着信があったことを通知する着信通知情報を通信部２３が通信装置１０から受信した際に、録画予約情報に従って録画された映像が表示部２１により表示されているか否かを判定する。
【００４３】
録画予約情報に従って録画された映像が表示部２１により表示されている場合、識別情報判定部２６ｃは、その録画予約情報に対応付けて録画情報２５ａに登録されている識別情報を読み出し、読みだした識別情報が、通信装置１０から着信通知情報とともに送信された識別情報と一致するか否かを判定する。そして、読みだした識別情報が通信装置１０から着信通知情報とともに送信された識別情報と一致する場合、識別情報判定部２６ｃは、一致フラグをオンに設定する。
【００４４】
通信装置１０に着信があったことを通知する着信通知情報を通信部２３が受信した際に、録画予約情報に従って録画された映像が表示部２１により表示されていない場合、または、その映像が表示部２１により表示されているものの、録画情報２５ａに登録されている識別情報が、通信装置１０から着信通知情報とともに送信された識別情報と一致しない場合、識別情報判定部２６ｃは、一致フラグをオフに設定する。なお、録画予約情報に従って録画された映像が表示部２１により表示されていない場合も一致フラグをオンにして処理してもよい。
【００４５】
表示制御部２６ｄは、一致フラグがオンかオフかに基づいて、通信装置１０が受けた着信についての情報の表示部２１における表示を制御する処理部である。具体的には、表示制御部２６ｄは、一致フラグがオンである場合に、通信装置１０から受信した着信についての情報の表示を表示部２１に実行させる。
【００４６】
一致フラグがオフである場合、表示制御部２６ｄは、通信装置１０から受信した着信についての情報の表示を表示部２１に実行させない。着信についての情報とは、例えば、通話であれば発信番号、電子メールやＳＭＳであれば、着信した件数、差出人、宛先、タイトル、本文、未読件数などの情報などである。
【００４７】
なお、一致フラグがオフである場合、表示制御部２６ｄは、一致フラグがオンである場合とは異なる表示態様で、着信についての情報の表示を表示部２１に実行させることとしてもよい。例えば、表示制御部２６ｄは、一致フラグがオンである場合よりも小さい文字や目立たない色の文字で、着信についての情報の表示を表示部２１に実行させることとしてもよい。
【００４８】
つぎに、本発明の実施形態１にかかる着信情報表示制御処理の処理手順について説明する。図４は、本発明の実施形態１にかかる着信情報表示制御処理の処理手順の一例を示す図である。
【００４９】
まず、通信装置１０の情報送信処理部１５ａは、操作部１２がユーザから録画予約の操作を受け付けた場合に、録画予約情報、および、通信装置１０または通信装置１０の所有者を識別する識別情報を、通信部１３を介して表示装置２０に送信する（ステップＳ１０１）。
【００５０】
そして、表示装置２０の通信部２３によりその録画予約情報および識別情報が受信された場合、表示装置２０の情報管理部２６ａは、その録画予約情報と識別情報とを対応付けて録画情報２５ａに登録する（ステップＳ１０２）。その後、表示装置２０の録画処理部２６ｂは、録画予約情報に従って、録画処理を行う（ステップＳ１０３）。
【００５１】
一方、通信装置１０の通信部１３は、通話、電子メール、または、ＳＭＳの着信を受け付ける（ステップＳ１０４）。そして、情報送信処理部１５ａは、着信があったことを通知する着信通知情報、および、その着信を受けた通信装置１０または通信装置１０の所有者を識別する識別情報を、通信部１３を介して表示装置２０に送信する（ステップＳ１０５）。
【００５２】
着信通知情報および識別情報を受信した表示装置２０の識別情報判定部２６ｃは、その識別情報が録画予約情報とともに送信された識別情報と一致しているか否かを判定する識別情報一致判定処理を実行する（ステップＳ１０６）。
【００５３】
ここで、この識別情報一致判定処理について、図５を用いて詳しく説明する。図５は、図４のステップＳ１０６に示した識別情報一致判定処理の処理手順の一例を示す図である。
【００５４】
まず、表示装置２０の識別情報判定部２６ｃは、通信装置１０により送信された録画予約情報に従って録画された映像を表示部２１が表示中であるか否かを判定する（ステップＳ２０１）。
【００５５】
録画予約情報に従って録画された映像を表示部２１が表示中でない場合（ステップＳ２０１においてＮＯの場合）、識別情報判定部２６ｃは、一致フラグをオフに設定し（ステップＳ２０５）、この識別情報一致判定処理は終了する。
【００５６】
なお、録画予約情報に従って録画された映像を表示部２１が表示中でない場合（ステップＳ２０１においてＮＯの場合）でも、一致フラグをオンにして識別情報一致判定処理を終了してもよい。
【００５７】
録画予約情報に従って録画された映像を表示部２１が表示中である場合（ステップＳ２０１においてＹＥＳの場合）、識別情報判定部２６ｃは、録画情報２５ａにその録画予約情報と対応付けて登録された識別情報を読み出す（ステップＳ２０２）。
【００５８】
続いて、識別情報判定部２６ｃは、読みだした識別情報と、通信装置１０から着信通知情報とともに送信された識別情報が一致するか否かを判定する（ステップＳ２０３）。
【００５９】
それらの識別情報が一致しない場合（ステップＳ２０３においてＮＯの場合）、着信を受けた通信装置１０の所有者が表示装置２０を使用していないと推定されるため、識別情報判定部２６ｃは、一致フラグをオフに設定し（ステップＳ２０５）、この識別情報一致判定処理は終了する。
【００６０】
それらの識別情報が一致した場合（ステップＳ２０３においてＹＥＳの場合）、着信を受けた通信装置１０の所有者が表示装置２０を使用していると推定されるため、識別情報判定部２６ｃは、一致フラグをオンに設定し（ステップＳ２０４）、この識別情報一致判定処理は終了する。
【００６１】
図４の説明に戻ると、ステップＳ１０６の識別情報一致判定処理の後、表示制御部２６ｄは、一致フラグがオンか否かを判定する（ステップＳ１０７）。一致フラグがオンである場合（ステップＳ１０７においてＹＥＳの場合）、表示制御部２６ｄは、通信装置１０から受信した着信についての情報を表示部２１に表示させる（ステップＳ１０８）。その後、この着信情報表示制御処理は終了する。
【００６２】
一致フラグがオフである場合（ステップＳ１０７においてＮＯの場合）、通信装置１０から受信した着信についての情報が表示部２１に表示されることなく、この着信情報表示制御処理は終了する。
【００６３】
なお、一致フラグがオフである場合（ステップＳ１０７においてＮＯの場合）、表示制御部２６ｄは、一致フラグがオンである場合よりも小さい文字や目立たない色の文字で、着信についての情報の表示を表示部２１に実行させることとしてもよい。
【００６４】
（実施形態２）
上記実施形態１では、録画装置３０が表示装置２０に設けられることとしたが、録画装置３０を表示装置２０とは別に設けることとしてもよい。本実施形態２では、録画装置３０が表示装置２０と別に設けられる場合について説明する。
【００６５】
図６は、本発明の実施形態２に係る表示システムの一例を示す図である。この表示システムは、通信装置１０、表示装置２０、録画装置３０を含む。通信装置１０は、表示部１１、操作部１２、通信部１３、識別情報１４ａを記憶する記憶部１４、制御部１５を備える。表示部１１、操作部１２、通信部１３、記憶部１４、識別情報１４ａは、図２に示した通信装置１０の表示部１１、操作部１２、通信部１３、記憶部１４、識別情報１４ａと同様のものである。
【００６６】
図６に示す制御部１５は、通信装置１０の各機能を制御するＣＰＵなどの処理部である。制御部１５は、情報送信処理部１５ａ、録画予約処理部１５ｂを備える。情報送信処理部１５ａは、表示装置２０や録画装置３０に操作情報や着信通知情報、識別情報を送信する処理部である。録画予約処理部１５ｂは、表示部１１に番組表を表示させ、ユーザから操作部１２を介して録画予約の設定を受け付け、受け付けた設定の情報を録画予約情報として録画装置３０に情報送信処理部１５ａを介して送信する処理部である。
【００６７】
また、図６に示す表示装置２０は、表示部２１、操作部２２、通信部２３、記憶部２５、制御部２６を備える。表示部２１、操作部２２は、図２に示した表示装置２０の表示部２１、操作部２２と同様のものである。なお、表示装置２０の表示部２１は映像を外部装置に出力する外部出力端子を介して接続された別の装置であってもよい。
【００６８】
通信部２３は、通信装置１０や録画装置３０と無線通信（例えば、無線ＬＡＮ通信など）、あるいは、有線通信（例えば、有線ＬＡＮ通信、ＨＤＭＩ通信など）を行う処理部である。記憶部２５は、メモリやハードディスク装置などの記憶デバイスである。
【００６９】
制御部２６は、表示装置２０の各機能を制御するＣＰＵなどの処理部である。制御部２６は、識別情報判定部２６ｃ、表示制御部２６ｄを備える。
【００７０】
識別情報判定部２６ｃは、通信装置１０に着信があったことを通知する着信通知情報を通信部２３が通信装置１０から受信した場合に、着信通知情報とともに受信した識別情報が、録画装置３０が録画予約情報とともに通信装置１０から受信した識別情報と一致するか否かを判定する処理部である。そして、識別情報判定部２６ｃは、その判定結果に基づいて、両識別情報が一致したか否かを示す一致フラグをオンまたはオフに設定する。
【００７１】
具体的には、識別情報判定部２６ｃは、着信装置１０に着信があったことを通知する着信通知情報を通信部２３が通信装置１０から受信した際に、録画装置３０の録画予約情報に従って録画された映像のデータが録画装置３０から受信され、そのデータを用いて映像が表示部２１により表示されているか否かを判定する。
【００７２】
また、表示制御部２６ｄは、一致フラグがオンかオフかに基づいて、通信装置１０が受けた着信についての情報の表示装置２０における表示を制御する処理部である。この表示制御部２６ｄについては後に詳しく説明する。
【００７３】
図６に示す録画装置３０は、表示部３１、操作部３２、通信部３３、チューナー部３４、記憶部３５、制御部３６を備える。表示部３１は、液晶ディスプレイなどの表示デバイスである。操作部３２は、ユーザから録画装置３０の操作を受け付ける入力ボタンなどの入力デバイスである。
【００７４】
通信部３３は、通信装置１０や表示装置２０と無線通信、あるいは、有線通信を行う処理部である。記憶部３５は、メモリやハードディスク装置などの記憶デバイスである。記憶部３５は、録画情報２５ａを記憶する。録画情報２５ａは、図３で示した録画情報２５ａと同様のものである。
【００７５】
制御部３６は、録画装置３０の各機能を制御するＣＰＵなどの処理部である。制御部３６は、情報管理部２６ａ、録画処理部２６ｂを備える。
【００７６】
情報管理部２６ａは、通信部３３が通信装置１０から受信した録画予約情報および識別情報を録画情報２５ａに登録する処理部である。録画処理部２６ｂは、録画予約情報に基づいて放送番組の映像を録画し、録画した映像のデータを録画情報２５ａに登録する処理部である。
【００７７】
録画装置３０の通信部３３は、録画した映像のデータを表示装置２０へ送信するが、その際、送信する映像のデータに対応付けて録画情報２５ａに登録された識別情報についても表示装置２０へ送信する。
【００７８】
そして、表示装置２０の識別情報判定部２６ｃは、表示部２１に録画装置３０から受信した映像のデータが表示され、かつ、受信した映像のデータに対応付けられた識別情報を取得している場合、取得した識別情報が、通信装置１０から着信通知情報とともに送信された識別情報と一致するか否かを判定する。
【００７９】
取得した識別情報が、通信装置１０から着信通知情報とともに送信された識別情報と一致する場合、識別情報判定部２６ｃは、一致フラグをオンに設定する。
【００８０】
通信装置１０に着信があったことを通知する着信通知情報を通信部２３が通信装置１０から受信した際に、表示部２１に録画装置３０からデータを受信している映像が表示されていない、または、映像のデータに対応付けられた識別情報を取得していない場合、識別情報判定部２６ｃは、一致フラグをオフに設定する。
【００８１】
なお、録画装置３０からデータを受信している映像が表示されていない、または、映像のデータに対応付けられた識別情報を取得していない場合も一致フラグをオンにして処理をしてもよい。
【００８２】
表示制御部２６ｄは、一致フラグがオンかオフかに基づいて、通信装置１０が受けた着信についての情報の表示装置２０における表示を制御する処理部である。具体的には、表示制御部２６ｄは、一致フラグがオンである場合に、通信装置１０から受信した着信についての情報の表示を表示部２１に実行させる。
【００８３】
一方、一致フラグがオフである場合、表示制御部２６ｄは、通信装置１０から受信した着信についての情報の表示を表示部２１に実行させない。着信についての情報とは、例えば、通話であれば発信番号、電子メールやＳＭＳであれば、着信した件数、差出人、宛先、タイトル、本文、未読件数などの情報などである。
【００８４】
なお、一致フラグがオフである場合、表示制御部２６ｄは、一致フラグがオンである場合とは異なる表示態様で、着信についての情報の表示を表示部２１に実行させることとしてもよい。例えば、表示制御部２６ｄは、一致フラグがオンである場合よりも小さい文字や目立たない色の文字で、着信についての情報の表示を表示部２１に実行させることとしてもよい。
【００８５】
つぎに、本発明の実施形態２にかかる着信情報表示制御処理の処理手順について説明する。図９は、本発明の実施形態２にかかる着信情報表示制御処理の処理手順の一例を示す図である。
【００８６】
まず、通信装置１０の情報送信処理部１５ａは、操作部１２がユーザから録画予約の操作を受け付けた場合に、録画予約情報、および、通信装置１０または通信装置１０の所有者を識別する識別情報を、通信部１３を介して録画装置３０に送信する（ステップＳ３０１）。
【００８７】
そして、録画装置３０の通信部３３によりその録画予約情報および識別情報が受信された場合、録画装置３０の情報管理部２６ａは、その録画予約情報と識別情報とを対応付けて録画情報２５ａに登録する（ステップＳ３０２）。その後、録画装置３０の録画処理部２６ｂは、録画予約情報に従って、録画処理を行う（ステップＳ３０３）。
【００８８】
一方、通信装置１０の通信部１３は、通話、電子メール、または、ＳＭＳの着信を受け付ける（ステップＳ３０４）。そして、情報送信処理部１５ａは、着信があったことを通知する着信通知情報、および、その着信を受けた通信装置１０または通信装置１０の所有者を識別する識別情報を、通信部１３を介して表示装置２０に送信する（ステップＳ３０５）。
【００８９】
その後、着信通知情報および識別情報を受信した表示装置２０の識別情報判定部２６ｃは、識別情報一致判定処理を行う（ステップＳ３０６）。
【００９０】
ここで、この識別情報一致判定処理について、図１０を用いて詳しく説明する。図１０は、図９のステップＳ３０６に示した識別情報一致判定処理の処理手順の一例を示す図である。
【００９１】
まず、表示装置２０の識別情報判定部２６ｃは、通信部２３が録画装置３０から映像のデータを受信してその映像を表示部２１が表示中であるか否かを判定する（ステップＳ４０１）。
【００９２】
通信部２３が録画装置３０から映像のデータを受信していない、または、その映像を表示部２１が表示中でない場合（ステップＳ４０１においてＮＯの場合）、識別情報判定部２６ｃは、一致フラグをオフに設定し（ステップＳ４０６）、この識別情報一致判定処理は終了する。
【００９３】
なお、通信部２３が録画装置３０から映像のデータを受信していない、または、その映像を表示部２１が表示中でない場合（ステップＳ４０１においてＮＯの場合）でも、一致フラグをオンにして識別情報一致判定処理を終了してもよい。
【００９４】
通信部２３が録画装置３０から映像のデータを受信してその映像を表示部２１が表示中である場合（ステップＳ４０１においてＹＥＳの場合）、識別情報判定部２６ｃは、受信している映像のデータに対応付けられた識別情報を録画装置３０から受信しているか否かを判定する（ステップＳ４０２）。
【００９５】
なお、識別情報を受信している場合は、その識別情報は記憶部２５に記憶される。この映像が通信装置１０からの録画予約情報により録画されたものでなく、例えば、ユーザが録画装置３０を、通信装置１０を使用しないで操作して録画したものである場合は、識別情報は録画装置３０から送信されず、記憶部２５に記憶されないことになる。
【００９６】
映像のデータに対応付けられた識別情報を受信していない場合（ステップＳ４０２においてＮＯの場合）、識別情報判定部２６ｃは、一致フラグをオフに設定し（ステップＳ４０６）、この識別情報一致判定処理は終了する。
【００９７】
なお、映像のデータに対応付けられた識別情報を受信していない場合（ステップＳ４０２においてＮＯの場合）でも、一致フラグをオンにして識別情報一致判定処理を終了してもよい。これは、録画装置３０から識別情報を受信していない場合、識別情報が一致するか否かを判定しようがないためである。
【００９８】
映像のデータに対応付けられた識別情報を受信している場合（ステップＳ４０２においてＹＥＳの場合）、識別情報判定部２６ｃは、記憶部２５に記憶された映像のデータに対応付けられた識別情報を読み出す（ステップＳ４０３）。
【００９９】
なお、識別情報をステップＳ４０２の前に読み出して、ステップＳ４０２の判定処理の代わりに、その識別情報に対応する映像のデータが表示中か否かを判定することも可能である。その識別情報に対応する映像のデータが表示中でない場合、ステップＳ４０６の処理が行われ、その識別情報に対応する映像のデータが表示中である場合、ステップＳ４０４の処理が行われる。
【０１００】
ステップＳ４０３の処理の後、識別情報判定部２６ｃは、読みだした識別情報と、通信装置１０から着信通知情報とともに送信された識別情報が一致するか否かを判定する（ステップＳ４０４）。
【０１０１】
それらの識別情報が一致しない場合（ステップＳ４０４においてＮＯの場合）、着信を受けた通信装置１０の所有者が表示装置２０を使用していないと推定されるため、識別情報判定部２６ｃは、一致フラグをオフに設定し（ステップＳ４０６）、この識別情報一致判定処理は終了する。
【０１０２】
それらの識別情報が一致した場合（ステップＳ４０４においてＹＥＳの場合）、着信を受けた通信装置１０の所有者が表示装置２０を使用していると推定されるため、識別情報判定部２６ｃは、一致フラグをオンに設定し（ステップＳ４０５）、この識別情報一致判定処理は終了する。
【０１０３】
図９の説明に戻ると、ステップＳ３０６の識別情報一致判定処理の後、表示制御部２６ｄは、一致フラグがオンか否かを判定する（ステップＳ３０７）。
【０１０４】
一致フラグがオンである場合（ステップＳ３０７においてＹＥＳの場合）、表示制御部２６ｄは、通信装置１０から受信した着信についての情報を表示部２１に表示させる（ステップＳ３０８）。その後、この着信情報表示制御処理は終了する。
【０１０５】
一致フラグがオフである場合（ステップＳ３０７においてＮＯの場合）、通信装置１０から受信した着信についての情報が表示部２１に表示されることなく、この着信情報表示制御処理は終了する。
【０１０６】
なお、一致フラグがオフである場合（ステップＳ３０７においてＮＯの場合）、表示制御部２５ｄは、一致フラグがオンである場合よりも小さい文字や目立たない色の文字で、着信についての情報の表示を表示部２１に実行させることとしてもよい。
【０１０７】
（実施形態３）
上記実施形態１、２では、通信装置１０は、通信装置１０または通信装置１０の所有者を識別する識別情報を録画予約情報とともに送信することとしたが、上記識別情報を放送チャンネルの変更操作の情報（以下、「チャンネル変更情報」と呼ぶ。）とともに送信することとしてもよい。識別情報をチャンネル変更情報とともに送信することにより、識別情報を効率的に送信することができる。
【０１０８】
図１１は、本発明の実施形態３に係る表示システムの一例を示す図である。この表示システムは、通信装置１０、および、表示装置２０を含む。通信装置１０は、表示部１１、操作部１２、通信部１３、識別情報１４ａを記憶する記憶部１４、制御部１５を備える。
【０１０９】
表示部１１、操作部１２、通信部１３、記憶部１４、識別情報１４ａは、図２に示した通信装置１０の表示部１１、操作部１２、通信部１３、記憶部１４、識別情報１４ａと同様のものである。
【０１１０】
図１１に示す制御部１５は、通信装置１０の各機能を制御するＣＰＵなどの処理部である。制御部１５は、情報送信処理部１５ａ、チャンネル変更受付部１５ｃを備える。情報送信処理部１５ａは、チャンネル変更情報などの操作情報や着信通知情報、識別情報を表示装置２０に送信する。チャンネル変更情報は、操作部１２を介してユーザにより入力された変更後の放送チャンネルの指定情報を含む。
【０１１１】
チャンネル変更受付部１５ｃは、表示部１１にチャンネル情報を表示させ、ユーザから操作部１２を介して放送チャンネルの指定を受け付け、指定された放送チャンネルの情報を含むチャンネル変更情報を表示装置２０に情報送信処理部１５ａを介して送信する処理部である。
【０１１２】
また、図１１に示す表示装置２０は、表示部２１、操作部２２、通信部２３、チューナー部２４、記憶部２５、制御部２６を備える。表示部２１、操作部２２、通信部２３、チューナー部２４は、図２に示した表示装置２０の表示部２１、操作部２２、通信部２３、チューナー部２４と同様のものである。チューナー部２４、記憶部２５、制御部２６の一部は、放送を受信するチューナー装置５０を構成する。なお、表示装置２０の表示部２１は映像を外部装置に出力する外部出力端子を介して接続された別の装置であってもよい。
【０１１３】
図１１に示す記憶部２５は、メモリやハードディスク装置などの記憶デバイスである。記憶部２５は、チャンネル情報２５ｂを記憶する。図１２は、チャンネル情報２５ｂの一例を示す図である。図１２に示すように、チャンネル情報２５ｂには、通信装置１０により送信されたチャンネル変更情報と、そのチャンネル変更情報とともに送信された識別情報が対応付けて登録される。
【０１１４】
図１１の説明に戻ると、制御部２６は、表示装置２０の各機能を制御するＣＰＵなどの処理部である。制御部２６は、情報管理部２６ａ、チャンネル変更処理部２６ｅ、識別情報判定部２６ｃ、表示制御部２６ｄを備える。
【０１１５】
情報管理部２６ａは、通信部２３が通信装置１０から受信したチャンネル変更情報および識別情報をチャンネル情報２５ｂに登録する処理部である。チャンネル変更処理部２６ｅは、チャンネル変更情報を通信部２３が通信装置１０から受信した場合に、そのチャンネル変更情報に基づいてチューナー部２４にチャンネルを切り替えさせる処理部である。
【０１１６】
識別情報判定部２６ｃは、通信装置１０に着信があったことを通知する着信通知情報を通信部２３が通信装置１０から受信した場合に、着信通知情報とともに受信した識別情報が、チャンネル変更情報とともに通信装置１０から受信した識別情報と一致するか否かを判定する処理部である。
【０１１７】
具体的には、識別情報判定部２６ｃは、通信装置１０に着信があったことを通知する着信通知情報を通信部２３が通信装置１０から受信した際に、チャンネル変更情報に従って放送チャンネルが切り替えられた後、そのチャンネル変更情報により指定された放送チャンネルの映像が表示部２１により表示されているか否かを判定する。
【０１１８】
チャンネル変更情報により指定された放送チャンネルの映像が表示部２１により表示されている場合、識別情報判定部２６ｃは、そのチャンネル変更情報に対応付けてチャンネル情報２５ｂに登録されている識別情報を読み出し、読み出した識別情報が、通信装置１０から着信通知情報とともに送信された識別情報と一致するか否かを判定する。そして、読みだした識別情報が、通信装置１０から着信通知情報とともに送信された識別情報と一致する場合、識別情報判定部２６ｃは、一致フラグをオンに設定する。
【０１１９】
着信通知情報を通信部２３が通信装置１０から受信した際に、チャンネル変更情報により指定された放送チャンネルの映像が表示部２１により表示されていない場合、または、その映像が表示部２１により表示されているものの、チャンネル情報２５ｂに登録されている識別情報が、通信装置１０から着信通知情報とともに送信された識別情報と一致しない場合、識別情報判定部２６ｃは、一致フラグをオフに設定する。なお、チャンネル変更情報により指定された放送チャンネルの映像が表示部２１により表示されていない場合も一致フラグをオンにして処理してもよい。
【０１２０】
表示制御部２６ｄは、一致フラグがオンかオフかに基づいて、通信装置１０が受けた着信についての情報の表示部２１における表示を制御する処理部である。具体的には、表示制御部２６ｄは、一致フラグがオンである場合に、通信装置１０から受信した着信についての情報の表示を表示部２１に実行させる。
【０１２１】
一致フラグがオフである場合、表示制御部２６ｄは、通信装置１０から受信した着信についての情報の表示を表示部２１に実行させない。着信についての情報とは、例えば、通話であれば発信番号、電子メールやＳＭＳであれば、着信した件数、差出人、宛先、タイトル、本文、未読件数などの情報などである。
【０１２２】
なお、一致フラグがオフである場合、表示制御部２６ｄは、一致フラグがオンである場合とは異なる表示態様で、着信についての情報の表示を表示部２１に実行させることとしてもよい。例えば、表示制御部２６ｄは、一致フラグがオンである場合よりも小さい文字や目立たない色の文字で、着信についての情報の表示を表示部２１に実行させることとしてもよい。
【０１２３】
つぎに、本発明の実施形態３にかかる着信情報表示制御処理の処理手順について説明する。図１３は、本発明の実施形態３にかかる着信情報表示制御処理の処理手順の一例を示す図である。
【０１２４】
まず、通信装置１０の情報送信処理部１５ａは、操作部１２がユーザから放送チャンネルの切替操作を受け付けた場合に、切替先の放送チャンネルの情報を含むチャンネル変更情報、および、通信装置１０または通信装置１０の所有者を識別する識別情報を、通信部１３を介して表示装置２０に送信する（ステップＳ５０１）。
【０１２５】
そして、表示装置２０の通信部２３によりそのチャンネル変更情報および識別情報が受信された場合、表示装置２０の情報管理部２６ａは、そのチャンネル変更情報と識別情報とを対応付けてチャンネル情報２５ｂに登録する（ステップＳ５０２）。
【０１２６】
続いて、表示装置２０のチャンネル変更処理部２６ｅは、放送チャンネルをそのチャンネル変更情報において指定された放送チャンネルに切り替える処理を行う（ステップＳ５０３）。なお、その後通信装置１０からチャンネル変更情報を受信した場合には、放送チャンネルがさらに変更されることになる。また、ステップＳ５０３の処理をステップＳ５０２の処理より先に行ってもよい。
【０１２７】
一方、通信装置１０の通信部１３は、通話、電子メール、または、ＳＭＳの着信を受け付ける（ステップＳ５０４）。そして、情報送信処理部１５ａは、着信があったことを通知する着信通知情報、および、その着信を受けた通信装置１０または通信装置１０の所有者を識別する識別情報を、通信部１３を介して表示装置２０に送信する（ステップＳ５０５）。
【０１２８】
着信通知情報および識別情報を受信した表示装置２０の識別情報判定部２６ｃは、その識別情報がチャンネル変更情報とともに送信された識別情報と一致しているか否かを判定する識別情報一致判定処理を実行する（ステップＳ５０６）。
【０１２９】
ここで、この識別情報一致判定処理について、図１４を用いて詳しく説明する。図１４は、図１３のステップＳ５０６に示した識別情報一致判定処理の処理手順の一例を示す図である。
【０１３０】
まず、表示装置２０の識別情報判定部２６ｃは、通信装置１０により送信されたチャンネル変更情報に従って放送チャンネルが切り替えられた後、そのチャンネル変更情報により指定された放送チャンネルの映像を表示部２１が表示中であるか否かを判定する（ステップＳ６０１）。
【０１３１】
チャンネル変更情報により指定された放送チャンネルの映像を表示部２１が表示中でない場合（ステップＳ６０１においてＮＯの場合）、識別情報判定部２６ｃは、一致フラグをオフに設定し（ステップＳ６０５）、この識別情報一致判定処理は終了する。
【０１３２】
なお、チャンネル変更情報により指定された放送チャンネルの映像を表示部２１が表示中でない場合（ステップＳ６０１においてＮＯの場合）でも、一致フラグをオンにして識別情報一致判定処理を終了してもよい。
【０１３３】
チャンネル変更情報により指定された放送チャンネルの映像を表示部２１が表示中である場合（ステップＳ６０１においてＹＥＳの場合）、識別情報判定部２６ｃは、チャンネル情報２５ｂにそのチャンネル変更情報と対応付けて登録された識別情報を読み出す（ステップＳ６０２）。
【０１３４】
続いて、識別情報判定部２６ｃは、読みだした識別情報と、通信装置１０から着信通知情報とともに送信された識別情報が一致するか否かを判定する（ステップＳ６０３）。
【０１３５】
それらの識別情報が一致しない場合（ステップＳ６０３においてＮＯの場合）、着信を受けた通信装置１０の所有者が表示装置２０を使用していないと推定されるため、識別情報判定部２６ｃは、一致フラグをオフに設定し（ステップＳ６０５）、この識別情報一致判定処理は終了する。
【０１３６】
それらの識別情報が一致した場合（ステップＳ６０３においてＹＥＳの場合）、着信を受けた通信装置１０の所有者が表示装置２０を使用していると推定されるため、識別情報判定部２６ｃは、一致フラグをオンに設定し（ステップＳ６０４）、この識別情報一致判定処理は終了する。
【０１３７】
図１３の説明に戻ると、ステップＳ５０６の識別情報一致判定処理の後、表示制御部２６ｄは、一致フラグがオンか否かを判定する（ステップＳ５０７）。一致フラグがオンである場合（ステップＳ５０７においてＹＥＳの場合）、表示制御部２６ｄは、通信装置１０から受信した着信についての情報を表示部２１に表示させる（ステップＳ５０８）。その後、この着信情報表示制御処理は終了する。
【０１３８】
一致フラグがオフである場合（ステップＳ５０７においてＮＯの場合）、通信装置１０から受信した着信についての情報が表示部２１に表示されることなく、この着信情報表示制御処理は終了する。
【０１３９】
なお、一致フラグがオフである場合（ステップＳ５０７においてＮＯの場合）、表示制御部２６ｄは、一致フラグがオンである場合よりも小さい文字や目立たない色の文字で、着信についての情報の表示を表示部２１に実行させることとしてもよい。
【０１４０】
（実施形態４）
上記実施形態３では、チューナー装置５０が表示装置２０に設けられることとしたが、チューナー装置５０を表示装置２０とは別に設けることとしてもよい。本実施形態４では、チューナー装置５０が表示装置２０と別に設けられる場合について説明する。
【０１４１】
図１５は、本発明の実施形態４に係る表示システムの一例を示す図である。この表示システムは、通信装置１０、表示装置２０、チューナー装置５０を含む。通信装置１０は、表示部１１、操作部１２、通信部１３、識別情報１４ａを記憶する記憶部１４、制御部１５を備える。表示部１１、操作部１２、通信部１３、記憶部１４、識別情報１４ａは、図１１に示した通信装置１０の表示部１１、操作部１２、通信部１３、記憶部１４、識別情報１４ａと同様のものである。
【０１４２】
図１５に示す制御部１５は、通信装置１０の各機能を制御するＣＰＵなどの処理部である。制御部１５は、情報送信処理部１５ａ、チャンネル変更受付部１５ｃを備える。情報送信処理部１５ａは、表示装置２０やチューナー装置５０に操作情報や着信通知情報、識別情報を送信する。
【０１４３】
チャンネル変更受付部１５ｃは、表示部１１にチャンネル情報を表示させ、ユーザから操作部１２を介して放送チャンネルの指定を受け付け、指定された放送チャンネルの情報を含むチャンネル変更情報をチューナー装置５０に情報送信処理部１５ａを介して送信する処理部である。
【０１４４】
また、図１５に示す表示装置２０は、表示部２１、操作部２２、通信部２３、制御部２６を備える。表示部２１、操作部２２は、図１１に示した表示装置２０の表示部２１、操作部２２と同様のものである。なお、表示装置２０の表示部２１は映像を外部装置に出力する外部出力端子を介して接続された別の装置であってもよい。
【０１４５】
通信部２３は、通信装置１０やチューナー装置５０と無線通信（例えば、無線ＬＡＮ通信など）、あるいは、有線通信（例えば、有線ＬＡＮ通信、ＨＤＭＩ通信など）を行う処理部である。記憶部２５は、メモリやハードディスク装置などの記憶デバイスである。
【０１４６】
制御部２６は、表示装置２０の各機能を制御するＣＰＵなどの処理部である。制御部２６は、識別情報判定部２６ｃ、表示制御部２６ｄを備える。
【０１４７】
識別情報判定部２６ｃは、通信装置１０に着信があったことを通知する着信通知情報を通信部２３が通信装置１０から受信した場合に、着信通知情報とともに受信した識別情報が、チューナー装置５０がチャンネル変更情報とともに通信装置１０から受信した識別情報と一致するか否かを判定する処理部である。
【０１４８】
具体的には、識別情報判定部２６ｃは、着信装置１０に着信があったことを通知する着信通知情報を通信部２３が通信装置１０から受信した際に、チューナー装置５０のチャンネル変更情報に従って放送チャンネルが切り替えられた映像のデータがチューナー装置５０から受信され、そのデータを用いて映像が表示部２１により表示されているか否かを判定する。
【０１４９】
また、表示制御部２６ｄは、一致フラグがオンかオフかに基づいて、通信装置１０が受けた着信についての情報の表示装置２０における表示を制御する処理部である。この表示制御部２６ｄについては後に詳しく説明する。
【０１５０】
また、図１５に示すチューナー装置５０は、表示部５１、操作部５２、通信部５３、チューナー部５４、記憶部５５、制御部５６を備える。表示部５１は、液晶ディスプレイなどの表示デバイスである。操作部５２は、ユーザからチューナー装置５０の操作を受け付ける入力ボタンなどの入力デバイスである。
【０１５１】
通信部５３は、通信装置１０や表示装置２０と無線通信、あるいは、有線通信を行う処理部である。チューナー部５４は、放送波の入力を受け付けて、映像を表示する放送番組を選局する処理部である。記憶部５５は、メモリやハードディスク装置などの記憶デバイスである。記憶部５５は、チャンネル情報２５ｂを記憶する。チャンネル情報２５ｂは、図１２に示したチャンネル情報２５ｂと同様のものである。
【０１５２】
制御部５６は、チューナー装置５０の各機能を制御するＣＰＵなどの処理部である。制御部５６は、情報管理部２６ａ、チャンネル変更処理部２６ｅを備える。情報管理部２６ａは、通信部５３が通信装置１０から受信したチャンネル変更情報および識別情報をチャンネル情報２５ｂに登録する処理部である。
【０１５３】
チャンネル変更処理部２６ｅは、チャンネル変更情報を通信部５３が通信装置１０から受信した場合に、そのチャンネル変更情報に基づいてチューナー部５４にチャンネルを切替させる処理部である。
【０１５４】
通信部５３は、チャンネルの切り替えの結果得られた映像のデータを表示装置２０へ送信するが、その際、その切り替えを指示するチャンネル変更情報とともに受信した識別情報についても表示装置２０へ送信する。
【０１５５】
そして、表示装置２０の識別情報判定部２６ｃは、表示部２１にチューナー装置５０からデータを受信した映像が表示され、かつ、その映像への切り替えを指示するチャンネル変更情報とともに通信装置１０により送信された識別情報を取得している場合、取得した識別情報が、通信装置１０から着信通知情報とともに送信された識別情報と一致するか否かを判定する。
【０１５６】
取得した識別情報が、通信装置１０から着信通知情報とともに送信された識別情報と一致する場合、識別情報判定部２６ｃは、一致フラグをオンに設定する。
【０１５７】
通信装置１０に着信があったことを通知する着信通知情報を通信部２３が通信装置１０から受信した際に、表示部２１にチューナー装置５０からデータを受信した映像が表示されていない、または、その映像への切り替えを指示するチャンネル変更情報とともに通信装置１０により送信された識別情報を取得していない場合、識別情報判定部２６ｃは、一致フラグをオフに設定する。
【０１５８】
なお、表示部２１にチューナー装置５０からデータを受信した映像が表示されていない、または、その映像への切り替えを指示するチャンネル変更情報とともに通信装置１０により送信された識別情報を取得していない場合も一致フラグをオンにして処理をしてもよい。
【０１５９】
表示制御部２６ｄは、一致フラグがオンかオフかに基づいて、通信装置１０が受けた着信についての情報の表示装置２０における表示を制御する処理部である。具体的には、表示制御部２６ｄは、一致フラグがオンである場合に、通信装置１０から受信した着信についての情報の表示を表示部２１に実行させる。
【０１６０】
一方、一致フラグがオフである場合、表示制御部２６ｄは、通信装置１０から受信した着信についての情報の表示を表示部２１に実行させない。着信についての情報とは、例えば、通話であれば発信番号、電子メールやＳＭＳであれば、着信した件数、差出人、宛先、タイトル、本文、未読件数などの情報などである。
【０１６１】
なお、一致フラグがオフである場合、表示制御部２６ｄは、一致フラグがオンである場合とは異なる表示態様で、着信についての情報の表示を表示部２１に実行させることとしてもよい。例えば、表示制御部２６ｄは、一致フラグがオンである場合よりも小さい文字や目立たない色の文字で、着信についての情報の表示を表示部２１に実行させることとしてもよい。
【０１６２】
つぎに、本発明の実施形態４にかかる着信情報表示制御処理の処理手順について説明する。図１６は、本発明の実施形態４にかかる着信情報表示制御処理の処理手順の一例を示す図である。
【０１６３】
まず、通信装置１０の情報送信処理部１５ａは、操作部１２がユーザから放送チャンネルの切り替えを指示する操作を受け付けた場合に、チャンネル変更情報、および、通信装置１０または通信装置１０の所有者を識別する識別情報を、通信部１３を介してチューナー装置５０に送信する（ステップＳ７０１）。
【０１６４】
そして、チューナー装置５０の通信部５３によりそのチャンネル変更情報および識別情報が受信された場合、チューナー装置５０の情報管理部２６ａは、そのチャンネル変更情報と識別情報とを対応付けてチャンネル情報２５ｂに登録する（ステップＳ７０２）。
【０１６５】
続いて、チューナー装置５０のチャンネル変更処理部２６ｅは、放送チャンネルをそのチャンネル変更情報において指定された放送チャンネルに切り替える処理を行う（ステップＳ７０３）。具体的には、チャンネル変更処理部２６ｅは、放送チャンネルをチャンネル変更情報において指定された放送チャンネルに変更し、変更した放送チャンネルの映像のデータを表示装置２０へ送信し、表示装置２０の表示部２１にその映像を表示させる。
【０１６６】
その際、チャンネル変更処理部２６ｅは、その映像への変更を指示するチャンネル変更情報とともに通信装置１０により送信された識別情報についても、その映像のデータと対応付けて表示装置２０へ送信し、表示装置２０の記憶部２５に記憶させる。なお、ステップＳ７０３の処理をステップＳ７０２の処理より先に行ってもよい。
【０１６７】
一方、通信装置１０の通信部１３は、通話、電子メール、または、ＳＭＳの着信を受け付ける（ステップＳ７０４）。そして、情報送信処理部１５ａは、着信があったことを通知する着信通知情報、および、その着信を受けた通信装置１０または通信装置１０の所有者を識別する識別情報を、通信部１３を介して表示装置２０に送信する（ステップＳ７０５）。
【０１６８】
着信通知情報および識別情報を受信した表示装置２０の識別情報判定部２６ｃは、識別情報一致判定処理を行う（ステップＳ７０６）。
【０１６９】
ここで、この識別情報一致判定処理について、図１７を用いて詳しく説明する。図１７は、図１６のステップＳ７０６に示した識別情報一致判定処理の処理手順の一例を示す図である。
【０１７０】
まず、表示装置２０の識別情報判定部２６ｃは、通信部２３がチューナー装置５０から映像のデータを受信してその映像を表示部２１が表示中であるか否かを判定する（ステップＳ８０１）。
【０１７１】
通信部２３がチューナー装置５０から映像のデータを受信していない、または、その映像を表示部２１が表示中でない場合（ステップＳ８０１においてＮＯの場合）、識別情報判定部２６ｃは、一致フラグをオフに設定し（ステップＳ８０６）、この識別情報一致判定処理は終了する。
【０１７２】
なお、通信部２３がチューナー装置５０から映像のデータを受信していない、または、その映像を表示部２１が表示中でない場合（ステップＳ８０１においてＮＯの場合）でも、一致フラグをオンにして識別情報一致判定処理を終了してもよい。
【０１７３】
通信部２３がチューナー装置５０から映像のデータを受信してその映像を表示部２１が表示中である場合（ステップＳ８０１においてＹＥＳの場合）、識別情報判定部２６ｃは、受信している映像のデータに対応付けてチューナー装置４０から送信された識別情報を通信部２３が受信しているか否かを判定する（ステップＳ８０２）。
【０１７４】
なお、通信部２３が識別情報を受信している場合は、その識別情報は記憶部２５に記憶される。この映像が通信装置１０からの放送チャンネルの変更指示により変更されたものでなく、例えば、ユーザがチューナー装置５０を、通信装置１０を使用しないで操作して放送チャンネルを変更したものである場合は、識別情報はチューナー装置５０から受信されず、記憶部２５に記憶されないことになる。
【０１７５】
映像のデータに対応付けてチューナー装置５０から送信された識別情報を通信部２３が受信していない場合（ステップＳ８０２においてＮＯの場合）、識別情報判定部２６ｃは、一致フラグをオフに設定し（ステップＳ４０６）、この識別情報一致判定処理は終了する。
【０１７６】
なお、映像のデータに対応付けてチューナー装置５０から送信された識別情報を通信部２３が受信していない場合（ステップＳ８０２においてＮＯの場合）でも、一致フラグをオンにして識別情報一致判定処理を終了してもよい。
【０１７７】
映像のデータに対応付けてチューナー装置５０から送信された識別情報を通信部２３が受信している場合（ステップＳ８０２においてＹＥＳの場合）、識別情報判定部２６ｃは、映像のデータに対応付けられた識別情報を記憶部２５から読み出す（ステップＳ８０３）。
【０１７８】
なお、識別情報をステップＳ８０２の前に読み出して、ステップＳ８０２の判定処理の代わりに、その識別情報に対応する映像のデータが表示中か否かを判定することも可能である。その識別情報に対応する映像のデータが表示中でない場合、ステップＳ８０６の処理が行われ、その識別情報に対応する映像のデータが表示中である場合、ステップＳ８０４の処理が行われる。
【０１７９】
続いて、識別情報判定部２６ｃは、読みだした識別情報と、通信装置１０から着信通知情報とともに送信された識別情報が一致するか否かを判定する（ステップＳ８０４）。
【０１８０】
それらの識別情報が一致しない場合（ステップＳ８０４においてＮＯの場合）、着信を受けた通信装置１０の所有者が表示装置２０を使用していないと推定されるため、識別情報判定部２６ｃは、一致フラグをオフに設定し（ステップＳ８０６）、この識別情報一致判定処理は終了する。
【０１８１】
それらの識別情報が一致した場合（ステップＳ８０４においてＹＥＳの場合）、着信を受けた通信装置１０の所有者が表示装置２０を使用していると推定されるため、識別情報判定部２６ｃは、一致フラグをオンに設定し（ステップＳ８０５）、この識別情報一致判定処理は終了する。
【０１８２】
図１６の説明に戻ると、ステップＳ７０７の識別情報一致判定処理の後、表示制御部２６ｄは、一致フラグがオンか否かを判定する（ステップＳ７０７）。
【０１８３】
一致フラグがオンである場合（ステップＳ７０７においてＹＥＳの場合）、表示制御部２６ｄは、通信装置１０から受信した着信についての情報を表示部２１に表示させる（ステップＳ７０８）。その後、この着信情報表示制御処理は終了する。
【０１８４】
一致フラグがオフである場合（ステップＳ７０７においてＮＯの場合）、通信装置１０から受信した着信についての情報が表示部２１に表示されることなく、この着信情報表示制御処理は終了する。
【０１８５】
なお、ステップＳ７０７において、一致フラグがオフである場合（ステップＳ７０７においてＮＯの場合）、表示制御部２６ｄは、一致フラグがオンである場合よりも小さい文字や目立たない色の文字で、着信についての情報の表示を表示部２１に実行させることとしてもよい。
【０１８６】
さて、これまで通信装置、表示制御装置、表示装置、録画装置、チューナー装置、表示システム、および着信情報表示制御方法の実施形態を中心に説明を行ったが、本発明はこれらの実施形態に限定されるものではなく、通信装置、表示制御装置、表示装置、録画装置、チューナー装置、表示システムの機能を実現するためのコンピュータプログラムとしての形態、あるいは、当該コンピュータプログラムが記録されたコンピュータ読み取り可能な記録媒体の形態として本発明が実施されることとしてもよい。
【０１８７】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１８８】
これら記録媒体に上記実施形態における通信装置、表示制御装置、表示装置、録画装置、チューナー装置、表示システムの機能を実現させるコンピュータプログラム、または、着信情報表示制御方法をコンピュータに実行させるコンピュータプログラムを記録して流通させることにより、コストの低廉化、及び可搬性や汎用性を向上させることができる。
【０１８９】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る通信装置、表示制御装置、表示装置、録画装置、チューナー装置、表示システムの機能を実現し、着信情報表示制御方法を実行することができる。
【０１９０】
また、本発明は上述した実施形態に限定されず、本発明の要旨を逸脱しない範囲内で各種の変形、修正が可能である。
【符号の説明】
【０１９１】
１０…通信装置、１１…表示部、１２…操作部、１３…通信部、１４…記憶部、１４ａ…識別情報、１５…制御部、１５ａ…情報送信処理部、１５ｂ…録画予約処理部、１５ｃ…チャンネル変更受付部、２０…表示装置、２１…表示部、２２…操作部、２３…通信部、２４…チューナー部、２５…記憶部、２５ａ…録画情報、２５ｂ…チャンネル情報、２６…制御部、２６ａ…情報管理部、２６ｂ…録画処理部、２６ｃ…識別情報判定部、２６ｄ…表示制御部、２６ｅ…チャンネル変更処理部、３０…録画装置、３１…表示部、３２…操作部、３３…通信部、３４…チューナー部、３５…記憶部、３６…制御部、４０…通信網、５０…チューナー装置、５１…表示部、５２…操作部、５３…通信部、５４…チューナー部、５５…記憶部、５６…制御部
【図１】
0005909810.tif 000002
【図２】
0005909810.tif 000003
【図３】
0005909810.tif 000004
【図４】
0005909810.tif 000005
【図５】
0005909810.tif 000006
【図６】
0005909810.tif 000007
【図７】
0005909810.tif 000008
【図８】
0005909810.tif 000009
【図９】
0005909810.tif 000010
【図１０】
0005909810.tif 000011
【図１１】
0005909810.tif 000012
【図１２】
0005909810.tif 000013
【図１３】
0005909810.tif 000014
【図１４】
0005909810.tif 000015
【図１５】
0005909810.tif 000016
【図１６】
0005909810.tif 000017
【図１７】
0005909810.tif 000018